(57)【要約】【課題】ＬＥＤバックライト部の輝度を制御するため、昇圧コンバータの部品形状を電流の耐量で小さくし、電源効率を上げることができるバックライト用電源回路およびバックライト用電源回路の制御方法を提供する。【解決手段】第１昇圧コンバータと、第２昇圧コンバータと、前記第１昇圧コンバータの出力と前記第２昇圧コンバータの出力とを加算し、バックライトへ加算後の値の電流を供給する加算回路と、前記バックライトの輝度を検出するバックライト輝度検出回路と、前記バックライト輝度検出回路の検出結果に応じて、前記第１昇圧コンバータおよび前記第２昇圧コンバータの起動を制御し、前記加算回路の出力に流れる電流を制御する昇圧コンバータ制御回路と、を有する。【選択図】図１０
2018018949.tif 000002
【特許請求の範囲】
【請求項１】
第１昇圧コンバータと、
第２昇圧コンバータと、
前記第１昇圧コンバータの出力と前記第２昇圧コンバータの出力とを加算し、バックライトへ加算後の値の電流を供給する加算回路と、
前記バックライトの輝度を検出するバックライト輝度検出回路と、
前記バックライト輝度検出回路の検出結果に応じて、前記第１昇圧コンバータおよび前記第２昇圧コンバータの起動を制御し、前記加算回路の出力に流れる電流を制御する昇圧コンバータ制御回路と、
を有するバックライト用電源回路。
【請求項２】
前記昇圧コンバータ制御回路は、
前記バックライト輝度検出回路の検出結果が所定の輝度以下の場合、前記第１昇圧コンバータを起動させ、前記バックライト輝度検出回路の検出結果が所定の輝度より大きい場合、前記第１昇圧コンバータおよび前記第２昇圧コンバータを起動させる、
請求項１に記載のバックライト用電源回路。
【請求項３】
前記バックライト輝度検出回路は、前記第１昇圧コンバータの出力に接続される抵抗素子を流れる電流に基づいて、前記バックライトの輝度が所定の輝度以上になったことを示す検出結果を出力する、
請求項２に記載のバックライト用電源回路。
【請求項４】
前記バックライト輝度検出回路は、
照度センサと、
前記照度センサの照度情報に基づいて、前記バックライトの輝度が所定の輝度以上になったことを示す検出結果を出力する照度検出回路を有する、
請求項２に記載のバックライト用電源回路。
【請求項５】
第１昇圧コンバータと、第２昇圧コンバータと、前記第１昇圧コンバータの出力と前記第２昇圧コンバータの出力とを加算し、バックライトへ加算後の値の電流を供給する加算回路と、を有するバックライト用電源回路の制御方法であって、
バックライト輝度検出回路が、前記バックライトの輝度を検出するバックライト輝度検出工程と、
昇圧コンバータ制御回路が、前記バックライト輝度検出回路の検出結果に応じて、前記第１昇圧コンバータおよび前記第２昇圧コンバータの起動を制御し、前記加算回路の出力に流れる電流を制御する昇圧コンバータ制御工程と、
を有するバックライト用電源回路の制御方法。
【発明の詳細な説明】
【技術分野】
【０００１】
本発明は、バックライト用電源回路およびバックライト用電源回路の制御方法に関する。
【背景技術】
【０００２】
図１１は、従来のＬＥＤバックライト用電源回路を示す図である。図１１に示すように、ＬＥＤバックライト用電源回路９９は、１つの昇圧コンバータ９９ａと専用ＩＣであるＬＥＤバックライト制御回路９９ｂとから構成される（例えば、特許文献１参照）。
ＬＥＤバックライト部２におけるＬＥＤ素子２ａは、ＬＥＤバックライト用電源回路９９の出力Ｖｄｄから供給される電流により輝度が調整される。専用ＩＣであるＬＥＤバックライト制御回路９９ｂは、外部から供給される輝度信号ＰＷＭとＬＥＤバックライト部２から流れ込むＬＥＤ素子２ａの電流ＩＬＥＤとに基づいて、ＰＷＭ信号ＶＣＬを生成、昇圧コンバータ９９ａに対して出力し、昇圧コンバータ９９ａの出力Ｖｄｄに流れる電流を制御する。
【先行技術文献】
【特許文献】
【０００３】
【特許文献１】特開２０１０−６７７４９号公報
【発明の概要】
【発明が解決しようとする課題】
【０００４】
しかしながら、図１１に示すＬＥＤバックライト用電源回路では、ＬＥＤバックライト部で大型パネルを構成する場合、１回路の昇圧コンバータでＬＥＤバックライト部の輝度を制御するため、昇圧コンバータの部品形状が電流の耐量で大きくなってしまい、電源効率が下がるという問題があった。
【０００５】
本発明は上記の点に鑑みてなされたものであり、主たる目的は、ＬＥＤバックライト部の輝度を制御するため、昇圧コンバータの部品形状を電流の耐量で小さくし、電源効率を上げることができるバックライト用電源回路およびバックライト用電源回路の制御方法を提供することにある。
【課題を解決するための手段】
【０００６】
上記の課題を解決するために、本発明のバックライト用電源回路は、第１昇圧コンバータと、第２昇圧コンバータと、前記第１昇圧コンバータの出力と前記第２昇圧コンバータの出力とを加算し、バックライトへ加算後の値の電流を供給する加算回路と、前記バックライトの輝度を検出するバックライト輝度検出回路と、前記バックライト輝度検出回路の検出結果に応じて、前記第１昇圧コンバータおよび前記第２昇圧コンバータの起動を制御し、前記加算回路の出力に流れる電流を制御する昇圧コンバータ制御回路と、を有する。
【０００７】
また、本発明のバックライト用電源回路の制御方法は、第１昇圧コンバータと、第２昇圧コンバータと、前記第１昇圧コンバータの出力と前記第２昇圧コンバータの出力とを加算し、バックライトへ加算後の値の電流を供給する加算回路と、を有するバックライト用電源回路の制御方法であって、バックライト輝度検出回路が、前記バックライトの輝度を検出するバックライト輝度検出工程と、昇圧コンバータ制御回路が、前記バックライト輝度検出回路の検出結果に応じて、前記第１昇圧コンバータおよび前記第２昇圧コンバータの起動を制御し、前記加算回路の出力に流れる電流を制御する昇圧コンバータ制御工程と、を有する。
【発明の効果】
【０００８】
本発明によれば、昇圧コンバータ制御回路は、大型のモニタの輝度に合わせ、輝度が低いか暗いときに第１昇圧コンバータだけを起動させ、輝度が高いか明るいときに第１昇圧コンバータおよび第２昇圧コンバータを起動させ、大型のモニタを構成するＬＥＤバックライト部に加算回路から流す電流を制御する。これにより、ＬＥＤバックライト部の輝度を制御するため、昇圧コンバータの部品形状を電流の耐量で小さくし、電源効率を上げることができるバックライト用電源回路およびバックライト用電源回路の制御方法を提供することができる。
【図面の簡単な説明】
【０００９】
【図１】第１実施形態のＬＥＤバックライト用電源回路を示す図である。
【図２】第１実施形態の昇圧コンバータの出力電圧を示す図である。
【図３】第１実施形態の昇圧コンバータの出力電流を示す図である。
【図４】第２実施形態のＬＥＤバックライト用電源回路を示す図である。
【図５】第２実施形態の昇圧コンバータの出力電圧を示す図である。
【図６】電流制御による加算回路の構成を示す図である。
【図７】電圧制御による加算回路の構成を示す図である。
【図８】電圧制御ＩＣによる加算回路の構成を示す図である。
【図９】ＬＥＤバックライト用電源回路の制御フローを示すフローチャートである。
【図１０】本実施形態のＬＥＤバックライト用電源回路の主要な構成を示す図である。
【図１１】従来のＬＥＤバックライト用電源回路を示す図である。
【発明を実施するための形態】
【００１０】
以下、図面を参照しながら本発明の実施形態について詳しく説明する。
（第１実施形態）
図１は、第１実施形態のＬＥＤバックライト用電源回路を示す図である。
ＬＥＤバックライト用電源回路１００は、ＬＥＤバックライト部２におけるＬＥＤ素子２ａを発光させるための回路であり、ＬＥＤバックライト制御回路１０と、昇圧コンバータ１１（第１昇圧コンバータ）と、昇圧コンバータ１２（第２昇圧コンバータ）と、昇圧コンバータ制御回路２０と、加算回路３０とを含んで構成される。
ＬＥＤバックライト制御回路１０は、外部から供給される輝度信号（ＰＷＭ）とＬＥＤバックライト部２から流れ込むＬＥＤ素子２ａの電流ＩＬＥＤとに基づいて、ＰＷＭ信号ＶＣＬを生成、昇圧コンバータ制御回路２０におけるＰＷＭ制御回路２３に対して出力し、昇圧コンバータ１１の出力Ｖｄｄ１および昇圧コンバータ１２の出力Ｖｄｄ２に流れる電流を制御する。
昇圧コンバータ制御回路２０は、抵抗素子Ｒ１と、抵抗素子Ｒ２と、電流検出回路２１と、電流検出回路２２と、ＰＷＭ制御回路２３と、ドライバー回路２４とを含んで構成される。抵抗素子Ｒ１と、抵抗素子Ｒ２と、電流検出回路２１と、電流検出回路２２とが、第１実施形態におけるバックライト輝度検出回路を構成する。
抵抗素子Ｒ１は、昇圧コンバータ１１の出力Ｖｄｄ１に接続される抵抗であり、抵抗の両端子の電圧を電流検出回路２１に対して出力する。電流検出回路２１は、抵抗素子Ｒ１の両端子に印加される電圧から、昇圧コンバータ１１の出力Ｖｄｄ１に流れる電流を検出し、検出した電流値をＰＷＭ制御回路２３に対して出力する。
抵抗素子Ｒ２は、昇圧コンバータ１２の出力Ｖｄｄ２に接続される抵抗であり、抵抗の両端子の電圧を電流検出回路２２に対して出力する。電流検出回路２２は、抵抗素子Ｒ２の両端子に印加される電圧から、昇圧コンバータ１２の出力Ｖｄｄ２に流れる電流を検出し、検出した電流値をＰＷＭ制御回路２３に対して出力する。
【００１１】
ＰＷＭ制御回路２３は、ＬＥＤバックライト制御回路１０から入力されるＰＷＭ信号ＶＣＬと、電流検出回路２１の出力（電流検出信号）とに基づいて、昇圧コンバータ１１を動作させるための制御信号ＰＷＭ１を出力する。
ここで、図２は、第１実施形態の昇圧コンバータの出力電圧を示す図である。図２に示すように、輝度信号（ＰＷＭ）であるＰＡＮＥＬ  ＯＮ信号が入力されると、輝度０％から電流ＩＬＥＤが増加するにつれて輝度値が０％から１００％へと増加する。この期間中において、ＰＷＭ制御回路２３は、制御信号ＰＷＭ１を昇圧コンバータ１１に与えることにより、昇圧コンバータ１１の出力Ｖｄｄ１をハイレベル（Ｈレベル）に、すなわち、昇圧コンバータ１１を起動させている。
【００１２】
また、ＰＷＭ制御回路２３は、ＬＥＤバックライト制御回路１０から入力されるＰＷＭ信号ＶＣＬと、電流検出回路２２の出力と、電流検出回路２１の出力とに基づいて、昇圧コンバータ１２を動作させるための制御信号ＰＷＭ２を出力する。
ここで、図２に示すように、輝度信号（ＰＷＭ）であるＰＡＮＥＬ  ＯＮ信号が入力されると、輝度０％から電流ＩＬＥＤが増加するにつれて輝度値が０％から１００％へと増加する。この期間のうち、輝度値が０％から５０％の期間においては、ＰＷＭ制御回路２３は、制御信号ＰＷＭ２を昇圧コンバータ１２に与えることにより、昇圧コンバータ１２の出力Ｖｄｄ２をローレベル（Ｌレベル）に、すなわち、昇圧コンバータ１２を停止させている。
また、図３は、第１実施形態の昇圧コンバータの出力電流を示す図である。図３においては、横軸に輝度を％で表し、縦軸に昇圧コンバータ１１および昇圧コンバータ１２の出力電流（％）を表している。ここで、出力電流の１００％の値は、昇圧コンバータ１１および昇圧コンバータ１２の最大電流定格の値である。
図３に示すように、輝度値が５０％になるとき、ＶＤＤ２  ＯＮ電流設定値（所定の電流閾値）である電流検出回路２１の出力電流は８０％になっている。すなわち、ＰＷＭ制御回路２３が、電流検出回路２１の出力電流が８０％を超えたとき、図２に示すように、制御信号ＰＷＭ２を昇圧コンバータ１２に与えることにより、輝度値が５０％（所定の輝度）になったときに昇圧コンバータ１２の出力Ｖｄｄ２をＨレベルに、すなわち、昇圧コンバータ１２を起動させることができる。なお、本実施形態において、ＰＷＭ制御回路２３に登録される所定の電流閾値は、任意に設定される値であり、固定値であるものとする。しかし、この電流閾値は８０％に限られず、昇圧コンバータ１１および昇圧コンバータ１２の性能に応じて、設定される値である。
【００１３】
加算回路３０は、昇圧コンバータ１１の出力と昇圧コンバータ１２の出力とを加算し、ＬＥＤバックライト部２へ加算後の値の電流を供給する。
ドライバー回路２４は、加算回路３０がＬＥＤバックライト部２へ加算後の値の電流を供給するための、制御信号を出力する。
【００１４】
以上の構成により、ＬＥＤバックライト用電源回路１００では、Ｖｄｄ１を出力する昇圧コンバータ１１の電流検出信号（電流検出回路２１の検出信号）で、フィードバックさせ、電流の設定値(８０％以上)の電流値を検出した時、Ｖｄｄ２を出力する昇圧コンバータ１２を起動させる。
このように、ＬＥＤバックライト用電源回路１００では、昇圧コンバータを２個設け、大型のモニタの輝度に合わせ、輝度が低いか暗いとき、１個の昇圧コンバータ１１だけを起動させ、輝度が高いか明るいときに２個の昇圧コンバータ１１および昇圧コンバータ１２で、ＬＥＤバックライト部２へ供給する電流を制御する。
これにより、ＬＥＤバックライト用電源回路１００では、以下の効果を得ることができる。
（１）輝度が低いとき、１個のコンバータで電流制御が可能で、電源効率が上がる。
（２）輝度が高いとき、部品の最大電流値が１／２になるため、大電流による部品のロスが低減する。
（３）輝度が高いとき、部品の最大電流定格が１／２になるため、小型部品に置き換えが可能となる。
【００１５】
（第２実施形態）
図４は、第２実施形態のＬＥＤバックライト用電源回路を示す図である。
ＬＥＤバックライト用電源回路１００ａは、ＬＥＤバックライト部２におけるＬＥＤ素子２ａを発光させるための回路であり、ＬＥＤバックライト制御回路１０ａと、昇圧コンバータ１１ａ（第１昇圧コンバータ）と、昇圧コンバータ１２ａ（第２昇圧コンバータ）と、昇圧コンバータ制御回路２０ａと、加算回路３０と、輝度検出回路４０（バックライト輝度検出回路）とを含んで構成される。
ＬＥＤバックライト制御回路１０ａは、外部から供給される輝度信号（ＰＷＭ）とＬＥＤバックライト部２から流れ込むＬＥＤ素子２ａの電流ＩＬＥＤとに基づいて、ＰＷＭ信号ＶＣＬを生成、昇圧コンバータ１１ａおよび昇圧コンバータ１２ａに対して出力し、昇圧コンバータ１１ａの出力Ｖｄｄ１に流れる電流および昇圧コンバータ１２ａの出力Ｖｄｄ２に流れる電流を制御する。
昇圧コンバータ制御回路２０ａは、輝度検出回路４０の出力（輝度検出信号）に基づいて、昇圧コンバータ１１ａおよび昇圧コンバータ１２ａを動作させるための制御信号ＰＷＭ１および制御信号ＰＷＭ２を出力する。
輝度検出回路４０は、照度センサ（外光）４１と、照度センサ４１の照度情報に基づいて、ＬＥＤバックライト部２の輝度が所定の輝度以上になったことを示す検出結果を出力する照度検出回路４２を有する。
【００１６】
ここで、図５は、第２実施形態の昇圧コンバータの出力電圧を示す図である。
図５に示すように、輝度信号（ＰＷＭ）であるＰＡＮＥＬ  ＯＮ信号が入力されると、輝度値が０％から１００％へと増加する。この期間中において、昇圧コンバータ制御回路２０ａは、制御信号ＰＷＭ１を昇圧コンバータ１１ａに与えることにより、昇圧コンバータ１１ａの出力Ｖｄｄ１をハイレベル（Ｈレベル）に、すなわち、昇圧コンバータ１１ａを随時起動させている。
【００１７】
また、昇圧コンバータ制御回路２０ａは、輝度検出回路４０の出力に基づいて、昇圧コンバータ１２ａを動作させるための制御信号ＰＷＭ２を出力する。
ここで、図５に示すように、輝度信号（ＰＷＭ）であるＰＡＮＥＬ  ＯＮ信号が入力されると、輝度値が０％から１００％へと増加する。この期間のうち、輝度値が０％から５０％の期間においては、昇圧コンバータ制御回路２０ａは、制御信号ＰＷＭ２を昇圧コンバータ１２ａに与えることにより、昇圧コンバータ１２ａの出力Ｖｄｄ２をローレベル（Ｌレベル）に、すなわち、昇圧コンバータ１２ａを停止させている。
また、図３に示すように、輝度値が５０％になるとき、輝度検出回路４０は、照度センサ４１の照度情報に基づいて、ＬＥＤバックライト部２の輝度が５０％（所定の輝度）になったことを示す輝度検出信号を出力する。すなわち、昇圧コンバータ制御回路２０ａが、輝度検出信号がＨレベルになったとき、図５に示すように、制御信号ＰＷＭ２を昇圧コンバータ１２に与えることにより、昇圧コンバータ１２ａの出力Ｖｄｄ２をオフ（Ｌレベル）からオン（Ｈレベル）に、すなわち、昇圧コンバータ１２ａを停止状態から起動させることができる。
【００１８】
加算回路３０は、昇圧コンバータ１１ａの出力と昇圧コンバータ１２ａの出力とを加算し、ＬＥＤバックライト部２へ加算後の値の電流を供給する。
【００１９】
以上の構成により、ＬＥＤバックライト用電源回路１００ａでは、輝度検出回路４０の出力（輝度検出信号）で、Ｖｄｄ２を出力する昇圧コンバータ１２ａを起動させる。
このように、ＬＥＤバックライト用電源回路１００ａでは、昇圧コンバータを２個設け、大型のモニタの輝度に合わせ、輝度が低いか暗いとき、１個の昇圧コンバータ１１ａだけを起動させ、輝度が高いか明るいときに２個の昇圧コンバータ１１ａおよび昇圧コンバータ１２ａで、ＬＥＤバックライト部２へ供給する電流を制御する。
【００２０】
（加算回路の構成）
次に、ＬＥＤバックライト用電源回路１００およびＬＥＤバックライト用電源回路１００ａで使用する加算回路３０の構成について、図６〜図８を参照して説明する。
図６は、電流制御による加算回路の構成を示す図である。
加算回路３０ａは、ダイオード３１１（第1ダイオード）とダイオード３１２（第２ダイオード）とから構成される。
ダイオード３１１は、アノード端子が昇圧コンバータ１１の出力Ｖｄｄ１に接続され、カソード端子がＬＥＤバックライト用電源回路１００の出力Ｖｄｄに接続される。
また、ダイオード３１２は、アノード端子が昇圧コンバータ１２の出力Ｖｄｄ２に接続され、カソード端子がＬＥＤバックライト用電源回路１００の出力Ｖｄｄに接続される。
ダイオード３１１およびダイオード３１２は、いずれも、アノード端子からカソード端子へは電流を流すが、カソード端子からアノード端子へは電流をほとんど流さないという整流作用を持つ素子である。
【００２１】
ダイオードによる加算回路３０ａは、昇圧コンバータ制御回路２０により昇圧コンバータ１１の出力Ｖｄｄ１と昇圧コンバータ１２の出力Ｖｄｄ２の出力をＯＮさせることにより、昇圧コンバータ１１の出力と昇圧コンバータ１２の出力とを加算し、ＬＥＤバックライト部２へ加算後の値の電流を供給する。
このとき、昇圧コンバータ制御回路２０は、ダイオードのＶＦ（順方向降下電圧）に左右されないよう、電流検出にてフィードバックさせ、昇圧コンバータ１１の制御信号ＰＷＭ１および昇圧コンバータ１２の制御信号ＰＷＭ２のデューティーを変化させ、昇圧コンバータ１１の出力Ｖｄｄ１の出力電流と昇圧コンバータ１２の出力Ｖｄｄ２の出力電流とを制御する。昇圧コンバータ１１及び昇圧コンバータ１１のＰＷＭ制御は、昇圧コンバータ制御回路２０で、入力される輝度信号（ＰＷＭ）を見て、デューティー比に変換して制御信号ＰＷＭ１および制御信号ＰＷＭ２を出力することにより実行される。
【００２２】
図７は、電圧制御による加算回路の構成を示す図である。
加算回路３０ｂは、ＦＥＴ（Field Effect Transistor；電界効果トランジスタ）３２１（第１トランジスタ）とＦＥＴ３２２（第２トランジスタ）とから構成される。
ＦＥＴ３２１は、ドレイン端子が昇圧コンバータ１１の出力Ｖｄｄ１に接続され、ソース端子がＬＥＤバックライト用電源回路１００ａの出力Ｖｄｄに接続され、ゲート端子が昇圧コンバータ制御回路２０ａに接続され、ゲート端子にはゲート信号Ｓ１が入力される。
また、ＦＥＴ３２２は、ドレイン端子が昇圧コンバータ１２の出力Ｖｄｄ２に接続され、ソース端子がＬＥＤバックライト用電源回路１００ａの出力Ｖｄｄに接続され、ゲート端子が昇圧コンバータ制御回路２０ａに接続され、ゲート端子にはゲート信号Ｓ２が入力される。
【００２３】
図７に示す加算回路３０ｂは、昇圧コンバータ制御回路２０ａが、ＦＥＴ３２１のゲート信号Ｓ１によるゲート電圧およびＦＥＴ３２２のゲート信号Ｓ２によるゲート電圧を変化させて、昇圧コンバータ１１の出力Ｖｄｄ１の電流および昇圧コンバータ１２の出力Ｖｄｄ２の電流を制御する方法である。
昇圧コンバータ１１および昇圧コンバータ１２の制御は、ＬＥＤバックライト制御回路１０ａが輝度信号（ＰＷＭ）からの周波数でＰＷＭ信号ＶＣＬを制御する。また、昇圧コンバータ制御回路２０ａが、周波数のディーティー比を電圧に変換し、加算回路３０ｂ内にあるＦＥＴ３２１のゲート信号Ｓ１によるゲート電圧およびＦＥＴ３２２のゲート信号Ｓ２によるゲート電圧を変化させて、ＬＥＤバックライト部２へ加算後の値の電流を決める制御を実行する。
【００２４】
図８は、電圧制御ＩＣ（Integrated Circuit）による加算回路の構成を示す図である。
加算回路３０ｃは、電圧制御ＩＣ３３１（第１制御ＩＣ）と電圧制御ＩＣ３３２（第２制御ＩＣ）とから構成される。
電圧制御ＩＣ３３１は、第１入力端子が昇圧コンバータ１１の出力Ｖｄｄ１に接続され、出力端子がＬＥＤバックライト用電源回路１００ａの出力Ｖｄｄに接続され、第２入力端子が昇圧コンバータ制御回路２０ａに接続され、第２入力端子にはＤＣ電圧信号ＥＮ１が入力される。
また、電圧制御ＩＣ３３２は、第１入力端子が昇圧コンバータ１２の出力Ｖｄｄ２に接続され、出力端子がＬＥＤバックライト用電源回路１００ａの出力Ｖｄｄに接続され、第２入力端子が昇圧コンバータ制御回路２０ａに接続され、第２入力端子にはＤＣ電圧信号ＥＮ２が入力される。
図８に示す加算回路３０ｃは、昇圧コンバータ制御回路２０ａが、電圧制御ＩＣ３３１のＤＣ電圧信号ＥＮ１によるＤＣ電圧およびＤＣ電圧信号ＥＮ２によるＤＣ電圧を変化させて、昇圧コンバータ１１の出力Ｖｄｄ１の電流および昇圧コンバータ１２の出力Ｖｄｄ２の電流を制御する方法である。
昇圧コンバータ１１および昇圧コンバータ１２の制御は、ＬＥＤバックライト制御回路１０ａが輝度信号（ＰＷＭ）からの周波数でＰＷＭ信号ＶＣＬを制御する。また、昇圧コンバータ制御回路２０ａが、図７に示す加算回路３０ｂと同様、周波数のディーティー比を電圧に変換し、電圧制御ＩＣ３３１のＤＣ電圧信号ＥＮ１によるＤＣ電圧およびＤＣ電圧信号ＥＮ２によるＤＣ電圧を変化させて、ＬＥＤバックライト部２へ加算後の値の電流を決める制御を実行する。
【００２５】
（昇圧コンバータの起動および停止条件）
続いて、上記のように構成されるＬＥＤバックライト用電源回路における昇圧コンバータの起動および停止条件について説明する。
図９は、ＬＥＤバックライト用電源回路の制御フローを示すフローチャートである。
電源がＯＮされると、ＰＡＮＥＬ信号がＯＮされる（ステップＳＴ１）。具体的には、
ＬＥＤバックライト用電源回路１００におけるＬＥＤバックライト制御回路１０に、輝度信号（ＰＷＭ）であるＰＡＮＥＬ  ＯＮ信号が入力される（図２参照）。或いは、ＬＥＤバックライト用電源回路１００ａにおけるＬＥＤバックライト制御回路１０ａに、輝度信号（ＰＷＭ）であるＰＡＮＥＬ  ＯＮ信号が入力される（図５参照）。
第１昇圧コンバータが電流供給を開始する（ステップＳＴ２）。具体的には、昇圧コンバータ制御回路２０は、制御信号ＰＷＭ１を昇圧コンバータ１１に与えることにより、昇圧コンバータ１１の出力Ｖｄｄ１をハイレベル（Ｈレベル）にする。或いは、昇圧コンバータ制御回路２０ａは、制御信号ＰＷＭ１を昇圧コンバータ１１ａに与えることにより、昇圧コンバータ１１ａの出力Ｖｄｄ１をハイレベル（Ｈレベル）にする。これにより、ＬＥＤバックライト部２の輝度値を上げることができる（図２および図５参照）。
【００２６】
バックライト輝度検出回路の出力信号が輝度検出ＯＮとなる（ステップＳＴ３）。具体的には、昇圧コンバータ制御回路２０が、バックライト輝度検出回路である電流検出回路２１の出力がＶＤＤ２  ＯＮ電流設定値（所定の電流閾値）を超え、ＬＥＤバックライト部２の輝度が５０％（所定の輝度）になったか否かを判定する。或いは、昇圧コンバータ制御回路２０ａが、バックライト輝度検出回路である輝度検出回路４０の出力（輝度検出信号）が５０％（所定の輝度）を超えたか否かを判定する。
輝度検出回路の出力信号が輝度検出ＯＮとなる場合（ステップＳＴ３−ＹＥＳ）、第２コンバータが電流供給を開始する（ステップＳＴ５）。
具体的には、昇圧コンバータ制御回路２０が、バックライト輝度検出回路である電流検出回路２１の出力がＶＤＤ２  ＯＮ電流設定値（所定の電流閾値）を超え、ＬＥＤバックライト部２の輝度が５０％（所定の輝度）になった場合、昇圧コンバータ１２の出力Ｖｄｄ２をＨレベルに、すなわち、昇圧コンバータ１２を起動させる。或いは、昇圧コンバータ制御回路２０ａが、輝度検出信号がＨレベルになったとき、図５に示すように、制御信号ＰＷＭ２を昇圧コンバータ１２ａに与えることにより、昇圧コンバータ１２ａの出力Ｖｄｄ２をオフ（Ｌレベル）からオン（Ｈレベル）に、すなわち、昇圧コンバータ１２ａを停止状態から起動させる。
一方、輝度検出回路の出力信号が輝度検出ＯＮとならない場合（ステップＳＴ３−ＮＯ）、第２昇圧コンバータがＯＦＦ状態を維持する（ステップＳＴ４）。
第２昇圧コンバータが電流供給を実行する（ステップＳＴ６）。具体的には、昇圧コンバータ制御回路２０は、制御信号ＰＷＭ２を昇圧コンバータ１２に与え続ける。或いは、昇圧コンバータ制御回路２０ａは、制御信号ＰＷＭ２を昇圧コンバータ１２ａに与え続ける。これにより、ＬＥＤバックライト部２の輝度値を上げることができる（図２および図５参照）。
【００２７】
バックライト輝度検出回路の出力信号が輝度検出ＯＦＦとなる（ステップＳＴ７）。具体的には、昇圧コンバータ制御回路２０が、バックライト輝度検出回路である電流検出回路２２の出力がＶＤＤ２  ＯＮ電流設定値（所定の電流閾値）を下回り、ＬＥＤバックライト部２の輝度が５０％（所定の輝度）未満になったか否かを判定する。或いは、昇圧コンバータ制御回路２０ａが、バックライト輝度検出回路である輝度検出回路４０の出力（輝度検出信号）が５０％（所定の輝度）未満になったか否かを判定する。
輝度検出回路の出力信号が輝度検出ＯＦＦとなる場合（ステップＳＴ７−ＹＥＳ）、第２コンバータがＯＦＦする（ステップＳＴ８）。
具体的には、昇圧コンバータ制御回路２０が、バックライト輝度検出回路である電流検出回路２２の出力がＶＤＤ２  ＯＮ電流設定値（所定の電流閾値）を下回り、ＬＥＤバックライト部２の輝度が５０％（所定の輝度）未満になった場合、昇圧コンバータ１２の出力Ｖｄｄ２をＬレベルに、すなわち、昇圧コンバータ１２を停止させる。或いは、昇圧コンバータ制御回路２０ａが、輝度検出信号がＬレベルになったとき、制御信号ＰＷＭ２をＬレベルにすることにより、昇圧コンバータ１２ａの出力Ｖｄｄ２をオンからオフに、すなわち、昇圧コンバータ１２ａを停止状態にさせる。
一方、輝度検出回路の出力信号が輝度検出ＯＦＦとならない場合（ステップＳＴ７−ＮＯ）、第２昇圧コンバータが電流供給を実行する（ステップＳＴ９）。具体的には、昇圧コンバータ制御回路２０は、制御信号ＰＷＭ２を昇圧コンバータ１２に与え続ける。或いは、昇圧コンバータ制御回路２０ａは、制御信号ＰＷＭ２を昇圧コンバータ１２ａに与え続ける。これにより、ＬＥＤバックライト部２の輝度値を上げることができる（図２および図５参照）。
【００２８】
次に、図１０は、本実施形態のＬＥＤバックライト用電源回路の主要な構成を示す図である。
ＬＥＤバックライト用電源回路１００ｂ（ＬＥＤバックライト用電源回路）は、昇圧コンバータ１１ｂ（第１昇圧コンバータ）と、昇圧コンバータ１２ｂ（第２昇圧コンバータ）と、昇圧コンバータ制御回路２０ｂ（昇圧コンバータ制御回路）と、加算回路３０と、バックライト輝度検出回路５０と、を含んで構成される。
昇圧コンバータ１１ｂは、図１に示す昇圧コンバータ１１、または図４に示す昇圧コンバータ１１ａである。
昇圧コンバータ１２ｂは、図１に示す昇圧コンバータ１２、または図４に示す昇圧コンバータ１２ａである。
加算回路３０は、図６〜図８に示す加算回路３０ａ、加算回路３０ｂ、または加算回路３０ｃである。加算回路３０は、昇圧コンバータ１１ｂの出力と昇圧コンバータ１２ｂの出力とを加算し、ＬＥＤバックライト部２（バックライト）へ加算後の値の電流を供給する。
バックライト輝度検出回路５０は、図１に示す抵抗素子Ｒ１および電流検出回路２１、または図４に示す輝度検出回路４０である。
電流検出回路２１は、昇圧コンバータ１１ｂの出力に接続される抵抗素子Ｒ１を流れる電流に基づいて、バックライトの輝度が所定の輝度以上になったことを示す検出結果を出力する。
また、輝度検出回路４０は、照度センサ４１と、照度センサ４１の照度情報に基づいて、バックライトの輝度が所定の輝度以上になったことを示す検出結果を出力する照度検出回路４２を有する。
バックライト輝度検出回路５０は、バックライトの輝度を検出する。
昇圧コンバータ制御回路２０ｂは、図１に示す昇圧コンバータ制御回路２０、または図４に示す昇圧コンバータ制御回路２０ａである。
昇圧コンバータ制御回路２０ｂは、バックライト輝度検出回路５０の検出結果に応じて、昇圧コンバータ１１ｂおよび昇圧コンバータ１２ｂの起動を制御し、加算回路３０の出力に流れる電流を制御する。
昇圧コンバータ制御回路２０ｂは、バックライト輝度検出回路５０の検出結果が所定の輝度以下の場合、昇圧コンバータ１１ｂを起動させ、バックライト輝度検出回路５０の検出結果が所定の輝度より大きい場合、昇圧コンバータ１１ｂおよび昇圧コンバータ１２ｂを起動させる。
なお、昇圧コンバータ１１ｂおよび昇圧コンバータ１２ｂの性能（最大電流値および最大電流定格）は同一であるが、製造時の誤差により完全同一でなくてもよい。
【００２９】
このように、本実施形態のバックライト用電源回路によれば、昇圧コンバータ制御回路は、大型のモニタの輝度に合わせ、輝度が低いか暗いときに１個の昇圧コンバータだけを起動させ、輝度が高いか明るいときに２個の昇圧コンバータを起動させ、大型のモニタを構成するＬＥＤバックライト部に加算回路から流す電流を制御する。これにより、ＬＥＤバックライト部の輝度を制御するため、昇圧コンバータの部品形状を電流の耐量で小さくし、電源効率を上げることができるバックライト用電源回路およびバックライト用電源回路の制御方法を提供することができる。
【００３０】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、図１における昇圧コンバータ制御回路２０、図４における昇圧コンバータ制御回路２０ａの機能を実現するためのプログラムをコンピュータ読み取り可能な記録媒体に記録して、この記録媒体に記録されたプログラムをコンピュータシステムに読み込ませ、実行することにより、ＬＥＤディスプレイの輝度補正制御を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００３１】
２…ＬＥＤバックライト部、２ａ…ＬＥＤ素子、１０，１０ａ，９９ｂ…ＬＥＤバックライト制御回路、１１，１１ａ，１１ｂ，１２，１２ａ，１２ｂ，９９ａ…昇圧コンバータ、２０，２０ａ，２０ｂ…昇圧コンバータ制御回路、２１，２２…電流検出回路、２３…ＰＷＭ制御回路、２４…ドライバー回路、３０，３０ａ，３０ｂ，３０ｃ…加算回路、４０…輝度検出回路、４１…照度センサ、４２…照度検出回路、５０…バックライト輝度検出回路、９９，１００，１００ａ…ＬＥＤバックライト用電源回路
【図１】
2018018949.tif 000003
【図２】
2018018949.tif 000004
【図３】
2018018949.tif 000005
【図４】
2018018949.tif 000006
【図５】
2018018949.tif 000007
【図６】
2018018949.tif 000008
【図７】
2018018949.tif 000009
【図８】
2018018949.tif 000010
【図９】
2018018949.tif 000011
【図１０】
2018018949.tif 000012
【図１１】
2018018949.tif 000013